(57)【要約】【課題】流通管の接続端が電磁弁のポートから抜けることを確実に防止する。【解決手段】電磁弁３０は、その下面側に取り付けられた抜け止め板７０をブラケット６２に固定することで、冷水タンク２０の蓋２１上に配され、その入出力ポート３２，３３に、それぞれ入口ジョイント４０の接続管４２と、出口ジョイント５０の接続管５２とが接続される。両接続管４２，５２にはそれぞれ係止溝４５，５５が形成される一方、抜け止め板７０の前後の係止板７２には、係止溝４５，５５が嵌まる係止凹部７３が形成される。電磁弁３０が閉じられて冷水の吐出が停止されると、そのときの水圧により、接続管４２，５２が入出力ポート３２，３３から抜ける方向の力が作用するが、接続管４２，５２に切られた係止溝４５，５５が、抜け止め板７０の係止凹部７３に嵌まって係止されることで、接続管４２，５２が抜ける方向に移動することが規制される。【選択図】  図４
2004166873.tif 000002
【特許請求の範囲】
【請求項１】
流体の流通管の途中位置には開閉操作用の電磁弁が介設され、この電磁弁が所定の取付部位に取り付けられたものにおいて、
前記電磁弁の入出力ポートに接続された前記流通管の接続端が、対応する入出力ポートから抜け方向に移動することを規制する抜け止め手段が備えられていることを特徴とする電磁弁の配設構造。
【請求項２】
前記抜け止め手段は、前記流通管の接続端の外周に係止溝が形成される一方、前記取付部位から抜け止め板が立てられて、この抜け止め板の突出端に前記係止溝に嵌まる係止部が切り欠き形成されていることで構成されていることを特徴とする請求項１記載の電磁弁の配設構造。
【請求項３】
前記抜け止め板が前記取付部位と一体形成されていることを特徴とする請求項２記載の電磁弁の配設構造。
【請求項４】
前記抜け止め手段は、前記流通管の両接続端の間に離間阻止部材が差し渡されていることで構成されていることを特徴とする請求項１記載の電磁弁の配設構造。
【請求項５】
前記離間阻止部材は、前記電磁弁を前記取付部位に向けて押し付け固定する機能を併せて備えていることを特徴とする請求項４記載の電磁弁の配設構造。
【発明の詳細な説明】
【０００１】
【発明の属する技術分野】
本発明は、例えば冷水タンクの流通管等に介設される開閉操作用の電磁弁の配設構造に関する。
【０００２】
【従来の技術】
例えば給茶機に装備された冷水供給装置では、冷水を生成する冷水タンクから複数の冷水流通管が分岐して引き出され、それぞれに異なった種類の粉末茶が供給可能とされた各冷茶生成部や、冷水の直接の注出部に臨んでおり、各冷水流通管に、それぞれ開閉操作用の電磁弁が設けられている。そして、各種冷茶または冷水を注出すべくスイッチが操作されると、対応する冷水流通管の電磁弁が所定時間開放され、選択された種類の冷茶が生成され、または冷水がそのまま注出されるようになっている。
一方、上記した各電磁弁を配設する部分の構造は、各冷水流通管の途中位置を切断して設けられた２箇所の接続端が、対応する電磁弁の入出力ポートとそれぞれ接続され、各電磁弁は、冷水タンクの蓋上に取付台を介して並べて取り付けられるようになっている（例えば、特許文献１参照）。
【０００３】
【特許文献１】
特開２００１−１７４１２３公報
【０００４】
【発明が解決しようとする課題】
ところで各冷水流通管により冷水が流通される場合、特に電磁弁が閉じて流通が停止されると、その際の水圧によって、冷水流通管には接続端が電磁弁のポートから抜ける方向の力が作用する。しかるに上記従来のものでは、冷水流通管の接続端と電磁弁のポートとの間に嵌着された水洩れ防止用のシールリングのフリクションを利用して抜け止めを図る程度に過ぎなかったため、繰り返し水圧が作用すると、パッキンが経時劣化することと相俟って、冷水流通管の接続端が抜け方向に移動し、水漏れ等を招くことに繋がるおそれがあった。
本発明は上記のような事情に基づいて完成されたものであって、その目的は、流通管の接続端が電磁弁のポートから抜けることを確実に防止するところにある。
【０００５】
【課題を解決するための手段】
上記の目的を達成するための手段として、請求項１の発明に係る電磁弁の配設構造は、流体の流通管の途中位置には開閉操作用の電磁弁が介設され、この電磁弁が所定の取付部位に取り付けられたものにおいて、前記電磁弁の入出力ポートに接続された前記流通管の接続端が、対応する入出力ポートから抜け方向に移動することを規制する抜け止め手段が備えられている構成としたところに特徴を有する。
請求項２の発明は、請求項１に記載のものにおいて、前記抜け止め手段は、前記流通管の接続端の外周に係止溝が形成される一方、前記取付部位から抜け止め板が立てられて、この抜け止め板の突出端に前記係止溝に嵌まる係止部が切り欠き形成されていることで構成されているところに特徴を有する。
請求項３の発明は、請求項２に記載のものにおいて、前記抜け止め板が前記取付部位と一体形成されているところに特徴を有する。
【０００６】
請求項４の発明は、請求項１に記載のものにおいて、前記抜け止め手段は、前記流通管の両接続端の間に離間阻止部材が差し渡されていることで構成されているところに特徴を有する。
請求項５の発明は、請求項４に記載のものにおいて、前記離間阻止部材は、前記電磁弁を前記取付部位に向けて押し付け固定する機能を併せて備えているところに特徴を有する。
【０００７】
【発明の作用及び効果】
＜請求項１の発明＞
流通管に流体が流通され、特に電磁弁が閉じて流通が停止されると、その際の流体圧により流通管には接続端が電磁弁のポートから抜ける方向の力が作用するが、抜け止め手段により流通管の接続端が抜け方向に移動することが規制される。これにより、流体の洩れが生じることが防止される。
＜請求項２の発明＞
取付部位から立ち上げられた抜け止め板の係止部が、流通管の接続端の係止溝に嵌まって係止することで、流通管の接続端が抜け方向に移動することが規制される。
＜請求項３の発明＞
抜け止め板が取付部位と一体形成されていることで、構造並びに製造工程が簡略化できるとともに、流体圧を抜け止め板に加えて取付部位全体で受けることができるから、強度並びに耐久性に優れたものにできる。
【０００８】
＜請求項４の発明＞
離間阻止部材が、流通管の両接続端の間を互いに離れないように引っ張り、これにより流通管の接続端が電磁弁のポートから抜け方向に移動することが規制される。
＜請求項５の発明＞
離間阻止部材は、電磁弁を取付部位に押し付け固定する部材と兼用されているから、部品点数を少なく抑え、構造もシンプルにまとめることができる。
【０００９】
【発明の実施の形態】
以下、本発明を給茶機における冷水供給部分に適用した実施形態を添付図面に基づいて説明する。
＜第１実施形態＞
本発明の第１実施形態を図１ないし図４によって説明する。
図１において、符号１０は給茶機本体であって縦長の箱形に形成されており、その奥側に設けられた収納スペース内に、貯湯タンク１３と冷水タンク２０とが並んで設置されている。本体１０の手前側の下部には、詳しくは図示しないが注出部１１が設定され、コップ等の容器を置くことができるようになっている。
【００１０】
先に、貯湯タンク１３側を簡単に説明する。貯湯タンク１３内には、投げ込み式のヒータ等が装備されていて、給水弁１４が開放されることで、縦向きに配管された第１給水管１５を通って上部側から水道水が供給されて所定量が貯留されるとともに、ヒータで加熱されることで所定温度に保温されている。なお、水位が所定水位まで下がったら、給水弁１４が開放して所定水位まで自動的に補給される。
貯湯タンク１３の底部側には給湯口が設けられ、この給湯口に４個の電磁弁（図示せず）が分岐して設けられていて、各電磁弁の出力ポートのうちの１つの出力ポートが、白湯または冷水用の注出管１７に導かれる吐出口１６Ａに接続されているとともに、他の３個の出力ポートは、粉末茶等と混合する個別のミキシング容器に導かれる吐出口１６Ｂに接続されている。
【００１１】
冷水タンク２０は、正面から見た左側のほぼ中央高さ位置に設置されている。この冷水タンク２０は、図２にも示すように、断熱構造で有底の円筒状に形成され、上面の開口には、ステンレス鋼板製の蓋２１が被着されるようになっている。冷水タンク２０内には、その内壁に沿うようにして蒸発パイプ２２が疎巻きの螺旋円筒状に形成されて配設されており、蒸発パイプ２２の入口と出口は、蓋２１の切り欠き開口２１Ａ（図２参照）を通って外部に引き出され、冷凍装置と冷媒配管により循環接続されて周知の冷凍サイクルが構成されている。冷凍サイクルの駆動により、蒸発パイプ２２の回りに氷層を形成しつつ貯留された冷却用水が冷却されるようになっている。
【００１２】
蒸発パイプ２２の内側には、熱伝導性に優れた素材からなるパイプを蒸発パイプ２２よりも小径の円筒形に密着巻きしてなる冷却コイル２４が同心に収容されている。冷却コイル２４の下端から立ち上げられた流入管２４Ａは、蓋２１の上面に突出したのち、図１に示すように、冷水タンク２０の左前面側を垂下するように配管されており、水道水等の水供給源から引き出されて給茶機本体１０の底部に沿って水平に配管された第２給水管２５と接続されている。水道水が冷却コイル２４を流通する間に、冷却用水により冷却されて冷水が生成される。
一方、冷却コイル２４の上端から立ち上げられた流出管２４Ｂ（図４参照）は、蓋２１に嵌着された導出口２６に接続され、この導出口２６から、それぞれに開閉操作用の電磁弁３０を介設した４本の冷水流通経路に分岐され、詳しくは後記するように、そのうち１本は、上記した白湯または冷水用の注出管１７に導かれる吐出口１６Ａに接続され、他の３個の出力ポート３３は、粉末茶等と混合する個別のミキシング容器に導かれる吐出口１６Ｂに接続されている。
【００１３】
続いて、電磁弁３０の配設構造について説明する。電磁弁３０は公知の構造であって、図４に示すように、本体部３１の一面と反対側の面とにそれぞれ入力ポート３２と出力ポート３３とが形成され、両ポート３２，３３の間に弁口３４が設けられており、常にはソレノイド３５のプランジャ３６がばね３７の弾力で進出付勢されて、その先端に設けられた弁体３８が当接することにより弁口３４を閉じ、一方ソレノイド３５に通電されると、形成された磁場によりプランジャ３６がばね３７の弾力に抗して吸引後退され、弁体３８が離間することで弁口３４が開くようになっている。この電磁弁３０が４個並んで配設される。
【００１４】
電磁弁３０の入力ポート３２に接続される配管として、入口ジョイント４０が備えられている。この入口ジョイント４０は全体としてＬ型に形成され、一端側には、上記した導出口２６と接続される１個の接続管４１が設けられているとともに、それと直交する他端側には４個の接続管４２が分岐して設けられている。これらの接続管４２は、等間隔で互いに平行姿勢で配され、各電磁弁３０の入力ポート３２に嵌着されるようになっている。各接続管４２の先端側には、嵌着溝４３が周設されてシールリング４４が嵌着されているとともに、その所定寸法後方には、嵌着溝４３よりも深い係止溝４５が周設されている。詳細には、接続管４２が入力ポート３２内に正規に挿入された場合に、係止溝４５が入力ポート３２を設けた面の直ぐ外側に位置する設定となっている。
【００１５】
一方、電磁弁３０の出力ポート３３に接続される配管として、出口ジョイント５０が備えられ、この出口ジョイント５０は電磁弁３０の数に合わせて４本が設けられている。この出口ジョイント５０はＬ型をなし、その一端側の接続管５２が、電磁弁３０の出力ポート３３に嵌着されるようになっている。この接続管５２は、入口ジョイント４０の接続管４２と同様に、その先端側に嵌着溝５３が周設されてシールリング５４が嵌着されているとともに、その所定寸法後方に、嵌着溝５３よりも深い係止溝５５が周設されている。ただし、出口ジョイント５０側の係止溝５５は、上面が埋まったＵ字形となっている。この係止溝５５も、接続管５２が出力ポート３３内に正規に挿入された場合に、出力ポート３３を設けた面の直ぐ外側に位置する設定となっている。なお、出口ジョイント５０の接続管５１には、ホース５６（図１）が接続されるようになっている。
【００１６】
電磁弁３０の蓋２１への取り付け用としてブラケット６０が備えられている。ブラケット６０は例えば亜鉛鋼板製であって、図３にも示すように、蓋２１の上面に取り付けられる基板６１の一縁から、取付板６２が直角に立ち上がって形成されている。基板６１の両端が、蓋２１上にねじ６３で固定されるようになっている。
取付板６２の上縁には、各出口ジョイント５０の接続管５２を上方から嵌めることができる４個の取付溝６４が、電磁弁３０の並設ピッチと同じピッチで形成されている。各取付溝６４における正面から見た左側縁には、ねじ６３の挿通孔６５が切り欠かれるようにして形成されている。
【００１７】
そして、各電磁弁３０ごとに抜け止め板７０が備えられている。この抜け止め板７０は、同じく亜鉛鋼板製であって、基板７１の前後両縁から係止板７２が直角に立ち上がり形成されている。両係止板７２の間隔は、電磁弁３０における入力ポート３２と出力ポート３３とを設けた両面を丁度挟めるような間隔となっている。両係止板７２には、それぞれ入口ジョイント４０の接続管４２に設けられた係止溝４５と、出口ジョイント５０の接続管５２に設けられた係止溝５５とをそれぞれ上方から嵌めることができる係止凹部７３が形成されている。
各抜け止め板７０には、その基板７１にねじ６３の挿通孔７４が形成されているとともに、前側の係止板７２にねじ孔７５が切られている。
【００１８】
なお、各出口ジョイント５０の接続管５２の上面には、エア抜き口５７が開口されている。また各エア抜き口５７が、蓋２１に立てられた接続口５８とエア抜きホース（図示せず）で個別に接続され、注出された冷水が仮にエア抜き口５７から溢れたとしても、エア抜きホース内に留まって接続管５２内に戻るようになっている。また、蓋２１上に立てられた４本のスペーサ５９は、撹拌用のインペラを駆動するモータを支持することに用いられる。
その他、冷水タンク２０の底面の中心には排水管２７が設けられるとともに、上端部の周壁にはオーバフローパイプ２８が設けられている。
【００１９】
冷水の流通経路部分の組み付けは、以下のようにして行われる。まず冷水タンク２０の蓋２１上にブラケット６０が取り付けられ、詳細には、取付板６２を正面に向けた姿勢で蓋２１の手前側の縁部に載せられ、基板６１の両端がねじ６３で蓋２１に止められて固定される。
一方、４個の電磁弁３０が並んで配設され、各電磁弁３０の入力ポート３２に、入口ジョイント４０の対応する接続管４２が挿入される。各接続管４２が正規位置まで挿入されると、係止溝４５が入力ポート３２を設けた面の直ぐ後方に位置する。それとともに、４本の出口ジョイント５０の接続管５２が、それぞれ各電磁弁３０の出力ポート３３に挿入され、同様に正規位置まで挿入されることで、係止溝５５が出力ポート３３を設けた面の直ぐ前方に位置する。
【００２０】
続いて抜け止め板７０が、電磁弁３０の本体部３１の下方から、前後の係止板７２で前後の面を挟むようにして当てられる。これに伴い、入力ポート３２と出力ポート３３にそれぞれ挿入された接続管４２，５２の係止溝４５，５５に、係止板７２の係止凹部７３の周縁が嵌合する。抜け止め板７０は、基板７１の挿通孔７４に通したねじ６３を電磁弁３０の本体部３１の底面のねじ孔にねじ込むことで固定される。全電磁弁３０について同様にして抜け止め板７０が取り付けられ、両係止板７２の係止凹部７３に、入力ポート３２側と出力ポート３３側との接続管４２，５２の係止溝４５，５５がそれぞれ嵌まった状態に保持される。
【００２１】
各電磁弁３０に抜け止め板７０が取り付けられたら、入口ジョイント４０の下向きの接続管４１が、蓋２１の導出口２６に挿入されるとともに、各抜け止め板７０の前側の係止板７２がブラケット６０の取付板６２の裏側に入れられ、各出口ジョイント５０の接続管５２が取付板６２の取付溝６４に嵌められて支持される。そうしたら、取付板６２の挿通孔６５にねじ６３を通して各抜け止め板７０における前側の係止板７２のねじ孔７５にねじ込むことにより、取付板６２に対して各抜け止め板７０すなわち各電磁弁３０が取り付けられる。
最後に、各電磁弁３０の出力ポート３３に接続された出口ジョイント５０の下向きの接続管５１にホース５６が接続され、上記したように正面から見た右端の１本が、白湯または冷水用の注出管１７に導かれる吐出口１６Ａに接続され、他の３本は、粉末茶等と混合する個別のミキシング容器に導かれる吐出口１６Ｂに接続されている。
【００２２】
続いて本実施形態の作用及び効果を説明する。
この実施形態では、３種類のお茶と冷茶、及び白湯と冷水の合計８種類の飲料が注出可能とされている。
先に、お茶または白湯の注出動作を簡単に説明すると、貯湯タンク１３には、所定量以上の温水が所定温度に保持されて貯留されており、お茶または白湯の注出スイッチが操作されると、温水側の対応する電磁弁が所定時間開放されて、貯留された温水が水頭圧により給湯口から吐出され、開かれた電磁弁を通ったのち、粉末茶と混合されてお茶として注出され、あるいは白湯として直接に注出管１７から注出される。
【００２３】
冷茶または冷水の注出動作は以下のようである。冷水タンク２０内には、氷層が形成されつつ冷却用水が冷却状態で貯留されている。この状態で冷茶または冷水の注出スイッチが操作されると、冷水側の対応する電磁弁３０のソレノイド３５に通電されて弁口３４が開放され、第２給水管２５を通って水道水が冷却コイル２４に導入されつつ、冷却コイル２４中で冷却された冷水が、対応する出口ジョイント５０から吐出され、所定量が吐出されたことが検知されたら、通電が断たれて電磁弁３０の弁口３４が閉じ、吐出された冷水は、粉末茶と混合されて冷茶として注出され、あるいは冷水として直接に注出管１７から注出される。
【００２４】
ここで上記のように、電磁弁３０の弁口３４が閉じられて冷水の吐出が停止されると、そのときの水圧により、入口ジョイント４０と出口ジョイント５０に対して、接続管４２，５２が電磁弁３０の入力ポート３２、出力ポート３３から抜ける方向の力が作用する。
しかしながらこの実施形態では、各電磁弁３０に、電磁弁３０をブラケット６０に取り付けるべく抜け止め板７０がそれぞれ固定されており、この抜け止め板７０の前後の係止板７２に設けられた係止凹部７３が、入口ジョイント４０の接続管４２の係止溝４５と、出口ジョイント５０の接続管５２の係止溝５５とにそれぞれ嵌まって係止することで、入口ジョイント４０、出口ジョイント５０の接続管４２，５２が、相手の電磁弁３０の入力ポート３２、出力ポート３３から抜ける方向に移動することが規制される。もって、冷水の洩れが生じることが防止される。
【００２５】
＜第２実施形態＞
本発明の第２実施形態を図５及び図６によって説明する。
この第２実施形態では、電磁弁３０等を配設する冷水タンク２０の蓋８０の構造に改良が加えられている。この蓋８０は、ＡＢＳ樹脂等の射出成形によって形成されており、その手前側の縁部には、電磁弁３０の取付箱８１が一体形成されている。この取付箱８１は横長で上げ底状に形成され、仕切壁８２により４個の部屋８３に仕切られており、各電磁弁３０は、底板８４に形成された位置決めピン８５を本体部３１の底面の位置決め孔に嵌合させつつ各部屋８３に収容されている。このとき、前後の壁板８６の間に、電磁弁３０の本体部３１における入力ポート３２と出力ポート３３とを設けた両面が挟まれるようになっている。
両壁板８６には、それぞれ入口ジョイント４０の接続管４２に設けられた係止溝４５と、出口ジョイント５０の接続管５２に設けられた係止溝５５とをそれぞれ上方から嵌めることができる４組の係止凹部８７が、電磁弁３０の並設ピッチと同じピッチで各部屋８３ごとに形成されている。
【００２６】
また、取付箱８１に収容された電磁弁３０を押さえるべくバンド９０が設けられている。このバンド９０は、例えば亜鉛鋼板により取付箱８１の長さに匹敵する長さを持った帯状に形成され、その両端に、取付箱８１の左右両側面を挟むようにして取付脚９１が曲げ形成されている。この取付脚９１は、図５の鎖線に示すように、予め内方に少し閉じて形成され、その下端に、ねじ６３の挿通孔９２Ａを開口した取付部９２が外側に向けて曲げ形成されている。
一方、取付箱８１の左右の外側面には、取付脚９１の取付部９２を載せる取付座８８が形成され、ねじ孔８９が切られている。
【００２７】
なお、エア抜きホースを接続する接続口５８と、撹拌用のインペラを駆動するモータを支持することに用いられるスペーサ５９も、蓋８０と一体形成されている。
その他の構造については上記第１実施形態と同様であって、同一機能を有する部位については同一符号を付すことで、重複した説明は省略する。
【００２８】
第２実施形態における冷水の流通経路部分の組み付けは、以下のようにして行われる。
まず４個の電磁弁３０が並んで配設されて、各電磁弁３０の入力ポート３２に、入口ジョイント４０の対応する接続管４２が挿入される。各接続管４２が正規位置まで挿入されると、係止溝４５が入力ポート３２を設けた面の直ぐ後方に位置する。それとともに、４本の出口ジョイント５０の接続管５２が、それぞれ各電磁弁３０の出力ポート３３に挿入され、同様に正規位置まで挿入されることで、係止溝４５が出力ポート３３を設けた面の直ぐ前方に位置する。
【００２９】
この状態から、入口ジョイント４０の下向きの接続管４１が蓋８０の導出口２６に挿入されつつ、４個の電磁弁３０の本体部３１が取付箱８１の各部屋８３内に収容される。これに伴い、入力ポート３２と出力ポート３３にそれぞれ挿入された接続管４２，５２の係止溝４５，５５が、取付箱８１の前後の壁板８６に形成された係止凹部８７に上方から入り込み、図６に示すように、電磁弁３０が底板８４に当たるまで入れられると、各係止凹部８７の周縁が対応する係止溝４５，５５に嵌合する。
そののち、各電磁弁３０の上面にわたってバンド９０が被せられ、両取付脚９１の取付部９２を取付座８８に当ててねじ６３で固定することにより、電磁弁３０は上方へ外れ止めされた状態で収容される。
【００３０】
この第２実施形態においても、電磁弁３０が開くことで冷水が対応する出口ジョイント５０から吐出されたのち、電磁弁３０が閉じられて冷水の吐出が停止されると、そのときの水圧により、入口ジョイント４０と出口ジョイント５０に対して、接続管４２，５２が電磁弁３０の入力ポート３２、出力ポート３３から抜ける方向の力が作用する。
しかしながらこの実施形態では、電磁弁３０を収容した取付箱８１の前後の壁板８６に設けられた係止凹部８７が、入口ジョイント４０の接続管４２の係止溝４５と、出口ジョイント５０の接続管５２の係止溝５５とにそれぞれ嵌まって係止することで、入口ジョイント４０、出口ジョイント５０の接続管４２，５２が、相手の電磁弁３０の入力ポート３２、出力ポート３３から抜ける方向に移動することが規制される。
【００３１】
同様に、水の洩れが生じることが防止される。また、抜け止めに機能する取付箱８１が蓋８０と一体形成されているから、第１実施形態と比べると、構造並びに製造工程が簡略化できる。また、冷水の水圧を、取付箱８１の前後の壁板８６のみならず、蓋８０全体で受けることができるから、強度並びに耐久性に優れたものにできる。
【００３２】
＜第３実施形態＞
図７及び図８は、本発明の第３実施形態を示す。この第３実施形態は、第２実施形態の変形例とも言うべきものであって、蓋８０の取付箱８１内に収容した電磁弁３０の上方への外れ止めの構造に改良が加えられている。
この第３実施形態では、第２実施形態のバンド９０に代わって押さえ板９５が備えられている。この押さえ板９５も亜鉛鋼板製であって、全体としては、取付箱８１の上端部にほぼ緊密に被せられるように、一回り大きい上蓋状に形成されている。
【００３３】
押さえ板９５の天面には、４個の電磁弁３０のソレノイド３５の部分をまとめて逃がすことが可能な抜き孔９６が形成され、この抜き孔９６の前後の側縁が、電磁弁３０の本体部３１における前後両端の上面を押さえることが可能となっている。
押さえ板９５の前後の壁板９７における下縁には、入口ジョイント４０の各接続管４２、及び各出口ジョイント５０の接続管５２を上方から嵌めることができる４個ずつの嵌合溝９８が、電磁弁３０の並設ピッチと同じピッチで形成されている。
また、左右の壁板の下端から、ねじ６３の挿通孔９９Ａを開口した取付部９９が外側に曲げられて形成され、両取付部９９は、取付箱８１の左右の外側面に形成された上記の取付座８８に載せることが可能となっている。
その他の構造は上記第２実施形態と同様であるから、同一機能を有する部位については同一符号を付すことで、重複した説明は省略する。
【００３４】
この第３実施形態において冷水の流通経路部分を組み付ける場合は、第２実施形態と同様に、入口ジョイント４０及び出口ジョイント５０を組み付けた状態で、４個の電磁弁３０の本体部３１が取付箱８１の各部屋８３内に収容され、これに伴い、入力ポート３２と出力ポート３３にそれぞれ挿入された接続管４２，５２の係止溝４５，５５に、取付箱８１の前後の壁板８６に形成された係止凹部８７の周縁が嵌合する。
そののち、押さえ板９５が電磁弁３０の上方から差し込まれる。押さえ板９５は、抜き孔９６にソレノイド３５を挿通し、また前後の壁板９７の嵌合溝９８を、取付箱８１の前後の壁板８６から外部に突出した接続管４２，５２に上方から嵌合しつつ押し込まれ、抜き孔９６の前後の側縁が各電磁弁３０に本体部３１の上面に当たったところで、押し込みが停止される。
【００３５】
このとき、入口側と出口側の両接続管４２，５２は嵌合溝９８の上端まで深く入り、併せて嵌合溝９８の側縁の内側に、取付箱８１の前後の壁板８６が係止した状態となる。また、押さえ板９５の左右の取付部９９が取付座８８に当てられるから、ねじ６３で固定される。これにより電磁弁３０は、本体部３１の上面を押さえ板９５の抜き孔９６の側縁で押さえられて、取付箱８１内に上方へ外れ止めされた状態で収容される。
【００３６】
この第３実施形態では、入口ジョイント４０と出口ジョイント５０に対して、接続管４２，５２が電磁弁３０の入力ポート３２、出力ポート３３から抜ける方向の力が作用した場合に、取付箱８１の前後の壁板８６に設けられた係止凹部８７が、入口ジョイント４０の接続管４２の係止溝４５と、出口ジョイント５０の接続管５２の係止溝５５とにそれぞれ嵌まって係止することで、入口ジョイント４０、出口ジョイント５０の接続管４２，５２が、相手の電磁弁３０の入力ポート３２、出力ポート３３から抜ける方向に移動することが規制される。
さらに、取付箱８１の前後の壁板８６の間に押さえ板９５がわたされて、両壁板８６が互いに離れないように引っ張られていることで、実質的に壁板８６の強度が高められ、両接続管４２，５２が抜け方向に移動することが、より確実に規制される。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では電磁弁の数が４個の場合を例示したが、その数は任意である。
（２）本発明は上記実施形態に例示した冷水の供給装置に限らず、流体の流通管の途中位置に開閉操作用の電磁弁が介設された装置一般に広く適用することができる。
【図面の簡単な説明】
【図１】本発明の第１実施形態に係る給茶機の内部構造を示す正面図
【図２】冷水タンク付近の分解斜視図
【図３】電磁弁の配設部分の構造を示す分解斜視図
【図４】その側断面図
【図５】第２実施形態に係る電磁弁の配設部分の構造を示す分解斜視図
【図６】その側断面図
【図７】第３実施形態に係る電磁弁の配設部分の構造を示す分解斜視図
【図８】その側断面図
【符号の説明】
２０…冷水タンク  ２１…蓋  ３０…電磁弁  ３２…入力ポート  ３３…出力ポート  ４０…入口ジョイント  ４２…接続管  ４５…係止溝  ５０…出口ジョイント  ５２…接続管  ５５…係止溝  ６２…ブラケット  ７０…抜け止め板  ７２…係止板  ７３…係止凹部  ８０…蓋  ８１…取付箱  ８６…壁板（抜け止め板）  ８７…係止凹部  ９５…押さえ板（離間防止部材）
【図１】
2004166873.tif 000003
【図２】
2004166873.tif 000004
【図３】
2004166873.tif 000005
【図４】
2004166873.tif 000006
【図５】
2004166873.tif 000007
【図６】
2004166873.tif 000008
【図７】
2004166873.tif 000009
【図８】
2004166873.tif 000010